(57)【要約】【課題】光ケーブルを介して伝送されてくる光信号から高周波情報信号を復元する光受信装置において、復元後の高周波情報信号を受信機まで低損失で伝送できるようにする。【解決手段】光受信ユニット２は、壁面ユニット４の光信号出力端子６から、光信号入力端子１０及び光ケーブル１２を介して、装置本体２０内に光信号を取り込み、この光信号からテレビ放送信号を復元して、ＢＳ放送及びＣＳ放送のテレビ放送信号と、地上波テレビ放送等のＵＨＦ帯のテレビ放送信号とに分波する。そして、ＢＳ放送及びＣＳ放送のテレビ放送信号については、装置本体２０の筐体に組み付けられたＦ型コネクタ３２から出力させ、他のテレビ放送信号については、同軸ケーブル３６の先端に設けられたＦ型コネクタ３４から出力させる。【選択図】図２
2015164128.tif 000002
【特許請求の範囲】
【請求項１】
高周波情報信号にて変調され、光ケーブルを介して伝送されてきた光信号を、筐体内に取り込むための入力端子と、
前記筐体内に設けられ、前記入力端子を介して取り込まれた前記光信号から、前記高周波情報信号を復元する光／電気変換手段と、
前記光／電気変換手段にて復元された前記高周波情報信号を、前記筐体外部に出力する出力端子と、
を備え、
前記出力端子は、前記高周波情報信号の受信機に設けられた高周波情報信号入力端子に接続可能なコネクタにて構成され、
前記コネクタは、前記筐体に固定されていることを特徴とする光受信装置。
【請求項２】
前記光／電気変換手段にて復元された前記高周波情報信号を分配又は分波する分配・分波手段を備え、
前記出力端子として、前記分配・分波手段にて分配又は分波された複数の高周波情報信号をそれぞれ出力する複数のコネクタを備え、
前記筐体には、前記複数のコネクタの内の少なくとも一つが固定されていることを特徴とする請求項１に記載の光受信装置。
【請求項３】
前記筐体に固定されるコネクタは、オス型のＦ型コネクタにて構成されていることを特徴とする請求項１又は請求項２に記載の光受信装置。
【請求項４】
前記光／電気変換手段にて復元された前記高周波情報信号を増幅して前記出力端子側に出力する増幅回路と、
前記光／電気変換手段から前記出力端子に至る前記高周波情報信号の伝送経路に設けられ、前記出力端子を介して前記受信機から入力された電源電圧を抽出する電源分離フィルタと、
を備え、前記電源分離フィルタにて抽出された電源電圧を、駆動電圧として、前記増幅回路に供給するよう構成されていることを特徴とする請求項１〜請求項３の何れか１項に記載の光受信装置。
【発明の詳細な説明】
【技術分野】
【０００１】
本発明は、高周波情報信号にて変調された光信号を受信し、該光信号から高周波情報信号を復元して出力する光受信装置に関する。
【背景技術】
【０００２】
従来、光ケーブルを介して伝送されてくる光信号からテレビ放送信号等の高周波情報信号を復元する光受信装置として、家屋の壁面に設けられた壁面端子の光アダプタに接続するための光端子を備えたものが提案されている（例えば、特許文献１参照）。
【０００３】
そして、この提案の光／電気変換装置では、光端子を、光受信装置の筐体から突出させることで、筐体の外壁面と壁面端子の外壁面とを面接触させることにより、光受信装置の設置と光ケーブルへの接続作業とを簡単に行うことができるようにしている。
【先行技術文献】
【特許文献】
【０００４】
【特許文献１】特開２００９−２５１５８０号
【発明の概要】
【発明が解決しようとする課題】
【０００５】
しかしながら、上記提案の光受信装置においては、光信号から復元した高周波情報信号は、同軸ケーブル等を介して、高周波情報信号の受信機（例えば、テレビ放送信号を受信するテレビチューナ、テレビ受像機、録画装置等）まで伝送しなければならず、その伝送経路で高周波情報信号が劣化することが考えられる。
【０００６】
例えば、高周波情報信号がテレビ放送信号である場合、放送衛星や通信衛星を使ったＢＳ・ＣＳ放送では、受信アンテナ（パラボラアンテナ）からの受信信号の周波数が１〜２ＧＨｚ帯となるので、同軸ケーブルでの伝送損失が大きくなる。
【０００７】
このため、光受信装置には、通常、増幅回路が設けられており、光信号から復元したテレビ放送信号を増幅することで、光受信装置からのテレビ放送信号の出力レベルを高くしている。
【０００８】
しかし、増幅回路による増幅が不十分であったり、増幅後の分岐・分配によりテレビ放送信号の信号レベルが低下したりすると、光受信装置からテレビ受信機に至る伝送路（同軸ケーブル）での信号損失により、テレビ受信機に所望レベルのテレビ放送信号を入力することができなくなる。
【０００９】
また、テレビ放送では、所謂４Ｋ、８Ｋと呼ばれる、より高画質の放送が検討されているが、こうした放送のために放送チャンネルが増加し、その放送信号の伝送周波数が現在のものより高周波になることが考えられる。
【００１０】
この場合、テレビ放送信号の伝送には、光ケーブルを利用することで、低損失で伝送することができる。しかし、上記従来のように、光ケーブルでの伝送は壁面端子までとし、壁面端子からテレビ受信機までは同軸ケーブルで行うようにすると、同軸ケーブルでのテレビ放送信号の伝送損失により、テレビ受信機に入力されるテレビ放送信号の信号レベル（換言すれば品質）が低下し、テレビ受信機にてテレビ放送信号を良好に受信することができなくなるという問題が生じる。
【００１１】
本発明は、こうした問題に鑑みなされたものであり、光ケーブルを介して伝送されてくる光信号から高周波情報信号を復元する光受信装置において、復元後の高周波情報信号を受信機まで低損失で伝送できるようにすることを目的とする。
【課題を解決するための手段】
【００１２】
かかる目的を達成するためになされた請求項１に記載の光受信装置は、
高周波情報信号にて変調され、光ケーブルを介して伝送されてきた光信号を、筐体内に取り込むための入力端子と、
前記筐体内に設けられ、前記入力端子を介して取り込まれた前記光信号から、前記高周波情報信号を復元する光／電気変換手段と、
前記光／電気変換手段にて復元された前記高周波情報信号を、前記筐体外部に出力する出力端子と、
を備え、
前記出力端子は、前記高周波情報信号の受信機に設けられた高周波情報信号入力端子に接続可能なコネクタにて構成され、
前記コネクタは、前記筐体に固定されていることを特徴とする。
【００１３】
また、請求項２に記載の光受信装置は、請求項１に記載の光受信装置において、
前記光／電気変換手段にて復元された前記高周波情報信号を分配又は分波する分配・分波手段を備え、
前記出力端子として、前記分配・分波手段にて分配又は分波された複数の高周波情報信号をそれぞれ出力する複数のコネクタを備え、
前記筐体には、前記複数のコネクタの内の少なくとも一つが固定されていることを特徴とする。
【００１４】
また、請求項３に記載の光受信装置は、請求項１又は請求項２に記載の光受信装置において、前記筐体に固定されるコネクタは、オス型のＦ型コネクタにて構成されていることを特徴とする。
【００１５】
また、請求項４に記載の光受信装置は、請求項１〜請求項３の何れか１項に記載の光受信装置において、
前記光／電気変換手段にて復元された前記高周波情報信号を増幅して前記出力端子側に出力する増幅回路と、
前記光／電気変換手段から前記出力端子に至る前記高周波情報信号の伝送経路に設けられ、前記出力端子を介して前記受信機から入力された電源電圧を抽出する電源分離フィルタと、
を備え、前記電源分離フィルタにて抽出された電源電圧を、駆動電圧として、前記増幅回路に供給するよう構成されていることを特徴とする。
【発明の効果】
【００１６】
請求項１に記載の光受信装置によれば、光／電気変換手段にて復元された高周波情報信号を出力する出力端子が、高周波情報信号の受信機に設けられた高周波情報信号入力端子に接続可能なコネクタにて構成されている。また、このコネクタは、当該光受信装置の筐体に固定されている。
【００１７】
このため、本発明の光受信装置によれば、コネクタを介して、受信機の高周波情報信号入力端子に直接接続することができ、受信機に高周波情報信号を入力する直前で、光信号を高周波情報信号に変換することができる。
【００１８】
よって、本発明の光受信装置によれば、光信号から復元した高周波情報信号を、極めて低損失で受信機に入力することが可能となり、受信機に入力される高周波情報信号が、その伝送経路で劣化するのを抑制できる。
【００１９】
また、高周波情報信号の信号損失を低減できるので、光／電気変換手段を構成する光電変換素子に、高感度・高出力のものを利用すれば、光／電気変換手段にて復元された高周波情報信号を増幅することなく、所望レベルの高周波情報信号を、受信機の高周波情報信号入力端子に入力できるようになる。
【００２０】
また、光／電気変換手段の特性、若しくは、光ケーブルを介して入力端子に入力される光信号の信号レベルによっては、光／電気変換手段にて復元された高周波情報信号を増幅する必要があるが、この場合、増幅回路の利得を、高周波情報信号の伝送経路での信号損失を考慮することなく設定できる。
【００２１】
そして、この場合、増幅回路には、従来のものよりも利得の小さいものを使用することができるので、増幅回路の構成を簡単にすることができると共に、光受信装置での電力消費を低減することができる。
【００２２】
次に、請求項２に記載の光受信装置には、光／電気変換手段にて復元された高周波情報信号を分配又は分波する分配・分波手段が備えられている。なお、分配とは、高周波情報信号をそのまま複数系統に分けることであり、分波とは、高周波情報信号を周波数帯域毎に複数に分けることである。
【００２３】
そして、出力手段は、分配・分波手段にて分配又は分波された複数の高周波情報信号をそれぞれ出力できるようにするため、複数のコネクタにて構成されており、その複数のコネクタの内の少なくとも一つが、筐体に固定される。
【００２４】
従って、請求項２に記載の光受信装置によれば、光／電気変換手段にて復元された高周波情報信号を複数系統に分配し、複数のコネクタを介して複数の受信機に出力するとか、光／電気変換手段にて復元された高周波情報信号を周波数帯域で決まる放送種別に応じて分波し、その分波した各信号を、複数のコネクタを介して、受信機に設けられた各放送信号入力用の入力端子に出力する、といったことができる。
【００２５】
そして、複数のコネクタの内の少なくとも一つは、筐体に固定されているので、光受信装置は、そのコネクタを介して受信機に直接固定できる。
また、この場合、分配・分波手段にて周波数帯域毎に分波された複数の高周波情報信号の内、周波数が最も高く、同軸ケーブルでの信号損失が最も大きくなる高周波情報信号を、筐体に固定されたコネクタから出力させ、他の高周波情報信号を、筐体に固定されていないコネクタ（例えば、筐体から引き出された同軸ケーブルの先端に設けられたコネクタ）から出力させるようにすれば、周波数が最も高い高周波情報信号の信号レベルを同軸ケーブルにて低下させることなく、受信機の高周波情報信号入力端子に入力することができる。
【００２６】
次に、請求項３に記載の光受信装置においては、筐体に固定されるコネクタが、オス型のＦ型コネクタにて構成される。これは、高周波情報信号の受信機（テレビ放送の受信機等）には、通常、高周波情報信号の入力端子として、メス型のＦ型コネクタが設けられているためである。
【００２７】
また、請求項４に記載の光受信装置には、光／電気変換手段にて復元された高周波情報信号を増幅する増幅回路が設けられている。そして、この増幅回路は、光／電気変換手段から出力端子に至る高周波情報信号の伝送経路に設けられた電源分離フィルタにて抽出された電源電圧を受けて動作する。
【００２８】
このため、請求項４に記載の光受信装置によれば、増幅回路への電源供給を行うために、外部電源（商用電源等）から電源供給を受けて増幅回路駆動用の電源電圧を生成する電源回路を設ける必要がなく、増幅回路への電源供給を、受信機側から簡単に行うことができる。
【図面の簡単な説明】
【００２９】
【図１】実施形態の光受信ユニットの外観を表す説明図である。
【図２】実施形態の光受信ユニットの回路構成を表すブロック図である。
【図３】光受信ユニットの回路構成の変形例１を表すブロック図である。
【図４】光受信ユニットの回路構成の変形例２を表すブロック図である。
【発明を実施するための形態】
【００３０】
以下に本発明の実施形態を図面と共に説明する。
図１に示すように、本実施形態の光受信ユニット２は、家屋の壁面に設けられた壁面ユニット４の光信号出力端子６から光信号を取り込み、その光信号から高周波情報信号である多チャンネルのテレビ放送信号を復元し、テレビ受信機５０のアンテナ端子５２、５４に出力するものである。
【００３１】
なお、テレビ受信機５０は、地上波テレビ放送、放送衛星を利用したＢＳ放送、通信衛星を利用したＣＳ放送等の各種テレビ放送信号の中から所望チャンネルのテレビ放送信号を選局して復調するチューナ、若しくは、そのチューナを内蔵したテレビ受像機又は録画装置である。
【００３２】
また、テレビ受信機５０に設けられたアンテナ端子５２は、地上波テレビ放送等のＵＨＦ帯のテレビ放送信号を入力するためのものであり、アンテナ端子５４は、地上波テレビ放送よりも周波数が高い、ＢＳ放送及びＣＳ放送の受信信号を入力するためのものである。そして、これら各アンテナ端子５２、５４は、Ｆ型端子（詳しくは、メス型のＦ型コネクタ）にて構成されている。
【００３３】
このため、光受信ユニット２には、テレビ受信機５０に設けられた各アンテナ端子５２、５４に接続するためのオス型のＦ型コネクタ３２、３４が備えられている。
また、壁面ユニット４の光信号出力端子６は、テレビ放送の受信設備（アンテナ、増幅器等）から光ケーブルを介して伝送されてきた光信号（詳しくは、テレビ放送信号にて変調された光信号）を出力する、所謂光アダプタである。
【００３４】
このため、光受信ユニット２には、この光信号出力端子６を構成する光アダプタに装着可能な光コネクタからなる光信号入力端子１０が備えられており、この光信号入力端子１０に入力された光信号を、光ケーブル１２を介して、装置本体２０内に取り込むようにされている。
【００３５】
また、光受信ユニット２の装置本体２０は、金属製若しくは合成樹脂製で矩形の筐体にて構成されており、その筐体内（つまり装置本体２０内）には、図２に示すように、光／電気変換手段としてのＯ／Ｅ変換回路２２と、分配・分波手段としての分波回路２４とが設けられている。
【００３６】
ここで、Ｏ／Ｅ変換回路２２は、光ケーブル１２を介して取り込まれた光信号を、電気信号であるテレビ放送信号に変換する光／電気変換回路である。
また、分波回路２４は、Ｏ／Ｅ変換回路２２にて光信号から変換（換言すれば復元）されたテレビ放送信号を、地上波テレビ放送等のＵＨＦ帯のテレビ放送信号と、ＵＨＦ帯のテレビ放送信号よりも周波数が高いＢＳ放送及びＣＳ放送のテレビ放送信号とに分波するためのものである。
【００３７】
そして、この分波回路２４にて分波されたテレビ放送信号の内、ＢＳ放送及びＣＳ放送のテレビ放送信号は、Ｆ型コネクタ３２から出力され、地上波テレビ放送等のＵＨＦ帯のテレビ放送信号は、Ｆ型コネクタ３４から出力される。
【００３８】
また、Ｆ型コネクタ３２は、テレビ受信機５０のアンテナ端子５２に、装置本体２０と共に直接接続できるように、装置本体２０に対し、その筐体の壁面から外方向に突出するように組み付けられている。
【００３９】
また、Ｆ型コネクタ３４は、Ｆ型コネクタ３２を介して装置本体２０をテレビ受信機５０のアンテナ端子５２に装着した状態で、テレビ受信機５０のアンテナ端子５４に接続できるよう、装置本体２０から筐体外部に引き出された同軸ケーブル３６の先端に設けられている。
【００４０】
このように、本実施形態の光受信ユニット２においては、壁面ユニット４の光信号出力端子６から、光信号入力端子１０及び光ケーブル１２を介して、装置本体２０内に光信号を取り込み、この光信号からテレビ放送信号を復元して、ＢＳ放送及びＣＳ放送のテレビ放送信号と、地上波テレビ放送等のＵＨＦ帯のテレビ放送信号とに分波する。
【００４１】
そして、光信号から復元したテレビ放送信号の内、ＢＳ放送及びＣＳ放送のテレビ放送信号については、装置本体２０の筐体に組み付けられたＦ型コネクタ３２から出力させる。
【００４２】
このため、本実施形態の光受信ユニット２によれば、地上波テレビ放送等のＵＨＦ帯のテレビ放送信号に比べて周波数が高く、同軸ケーブルでの信号損失が大きくなるＢＳ放送及びＣＳ放送のテレビ放送信号を、低損失でテレビ受信機５０に入力することができ、テレビ受信機５０への信号入力レベルが低下するのを防止できる。
【００４３】
また、Ｆ型コネクタ３２をテレビ受信機５０のアンテナ端子５２に接続することで、装置本体２０をテレビ受信機５０に装着することができることから、光受信ユニット２の設置作業を簡単に行うことができる。
【００４４】
また、本実施形態の光受信ユニット２によれば、テレビ受信機５０に、ＢＳ放送及びＣＳ放送用のアンテナ端子５２と、地上波テレビ放送用のアンテナ端子５４との２種類のアンテナ端子があっても、各アンテナ端子５２、５４に、対応するテレビ放送信号を入力することができるので、使い勝手を向上できる。
【００４５】
なお、テレビ受信機５０に、これら各テレビ放送信号を入力するためのアンテナ端子が一つだけ設けられている場合には、Ｏ／Ｅ変換回路２２の出力をＦ型コネクタ３２に接続して、Ｏ／Ｅ変換回路２２にて復元された全てのテレビ放送信号をＦ型コネクタ３２から出力させるようにすればよい。
【００４６】
そして、このために、Ｆ型コネクタ３２へのテレビ放送信号の出力経路を、分波回路２４の出力とＯ／Ｅ変換回路２２の出力との何れかに切り換える切換スイッチを設けるようにしてもよい。
【００４７】
以上、本発明の一実施形態について説明したが、本発明は上記実施形態に限定されるものではなく、本発明の要旨を逸脱しない範囲内にて種々の態様をとることができる。
［変形例１］
例えば、上記実施形態では、Ｏ／Ｅ変換回路２２にて復元されたテレビ放送信号は、そのまま分波回路２４に入力するものとして説明したが、図３に示すように、Ｏ／Ｅ変換回路２２と分波回路２４との間のテレビ放送信号の伝送経路に、増幅回路２６を設け、この増幅回路２６にて、テレビ放送信号を増幅するようにしてもよい。
【００４８】
そして、このようにすれば、Ｏ／Ｅ変換回路２２にてフォトダイオードやフォトトランジスタ等からなる光電変換素子を介して復元されるテレビ放送信号の信号レベルが低い場合であっても、テレビ受信機５０に対し、所望信号レベルのテレビ放送信号を入力することができるようになる。
【００４９】
また、このように、光受信ユニット２の装置本体２０内に増幅回路２６を設けた場合、この増幅回路２６を動作させるための駆動電圧が必要になるが、この駆動電圧については、テレビ受信機５０のアンテナ端子５２から出力可能な直流電圧を利用するようにするとよい。
【００５０】
つまり、テレビ受信機５０は、通常、ＢＳ放送及びＣＳ放送用のアンテナ端子５２から、受信アンテナ（パラボラアンテナ）に設けられたコンバータを駆動するための直流電圧を出力できるようになっていることから、この直流電圧を利用して、増幅回路２６を動作させるのである。
【００５１】
そして、このためには、図３に示すように、分波回路２４とＦ型コネクタ３２との間のテレビ放送信号の伝送経路上に電源分離フィルタ２８を設け、テレビ受信機５０からＦ型コネクタ３２に入力された直流電圧を電源分離フィルタ２８にて分離し、増幅回路２６に供給するようにすればよい。
［変形例２］
また、上記実施形態及び変形例１において、Ｏ／Ｅ変換回路２２に対する電力供給は特に実施しないが、これは、Ｏ／Ｅ変換回路２２を構成する光電変換素子にて、光信号出力端子６から取り込まれる光信号から、元の電気信号（高周波情報信号）を復元できるためである。
【００５２】
このため、例えば、光信号出力端子６から取り込まれる光信号が、上述した４Ｋ、８Ｋ等の超高精細映像を含む高周波・広帯域の光信号であり、Ｏ／Ｅ変換回路２２を構成する光電変換素子の受動動作では元の電気信号（高周波情報信号）を復元できないような場合には、図４に示すように、Ｏ／Ｅ変換回路２２に電源電圧Ｖｄを供給するようにしてもよい。
【００５３】
つまり、図４に示すように、Ｏ／Ｅ変換回路２２を構成する光電変換素子（図ではフォトトランジスタ）２２ａに対し、抵抗２２ｂを介して電源電圧Ｖｄ（つまりバイアス電圧）を印加し、光電変換素子２２ａにて光電変換可能な光信号の周波数及び帯域幅を増大させるのである。
【００５４】
そして、このためには、図３に示した変形例１と同様、分波回路２４とＦ型コネクタ３２との間のテレビ放送信号（ＢＳ／ＣＳ−ＩＦ）の伝送経路上に電源分離フィルタ２８を設け、テレビ受信機等の端末側から入力された直流電圧を電源分離フィルタ２８にて分離し、Ｏ／Ｅ変換回路２２に供給するようにすればよい。
【００５５】
なお、図４に示す変形例２の光受信ユニット２においては、Ｆ型コネクタからなるアンテナ接続端子３８が設けられており、このアンテナ接続端子３８を、Ｆ型コネクタ３２と電源分離フィルタ２８との間の伝送経路に接続することで、テレビ放送信号（ＢＳ／ＣＳ−ＩＦ）を受信アンテナから直接入力できるようにされている。
【００５６】
これは、光信号入力端子１０に入力される光信号に、ＢＳ放送及びＣＳ放送のテレビ放送信号（ＢＳ／ＣＳ−ＩＦ）が含まれていない場合に、このテレビ放送信号（ＢＳ／ＣＳ−ＩＦ）を受信アンテナ（ＢＳ／ＣＳアンテナ）から直接光受信ユニット２に入力して、Ｆ型コネクタ３２から出力できるようにするためである。
【００５７】
そして、Ｆ型コネクタ３２と電源分離フィルタ２８との間の伝送経路には、電源分離フィルタ２８及びアンテナ接続端子３８のどちらからテレビ放送信号（ＢＳ／ＣＳ−ＩＦ）が伝送されてきても、Ｆ型コネクタ３２側に出力できるように、混合器２９が設けられている。
【００５８】
この混合器２９は、例えば、入出力端子間を直流電流が通過可能な電流通過型の２分配器にて構成されており、２分配器の出力は、電源分離フィルタ２８及びアンテナ接続端子３８にそれぞれ接続され、２分配器の入力は、Ｆ型コネクタ３２に接続されている。
【００５９】
このため、テレビ受信機等の端末側から入力された直流電圧は、電源分離フィルタ２８だけでなく、アンテナ接続端子３８に接続された受信アンテナ（ＢＳ／ＣＳアンテナ）にも供給できる。
【００６０】
また、変形例２の光受信ユニット２においても、変形例１と同様、増幅回路２６を設けるようにしてもよい。
［他の変形例］
上記実施形態では、本発明を、テレビ放送信号を光ケーブルにて伝送する伝送システム用の光受信ユニットについて説明したが、本発明の光受信装置は、高周波情報信号を光信号に変換して伝送する伝送システムであれば、上記実施形態の光受信ユニット２と同様に適用することができる。
【００６１】
また、上記実施形態では、Ｆ型コネクタ３２は、光受信ユニット２の筐体の壁面から外方向に突出するように組み付けるものとして説明したが、例えば、筐体の壁面に凹部を設け、その凹部にＦ型コネクタ３２を固定することで、Ｆ型コネクタ３２を、筐体の壁面から外方向に突出させることなく、筐体に固定するようにしてもよい。
【００６２】
つまり、Ｆ型コネクタ３２を介して、装置本体２０を、テレビ受信機５０に設けられたアンテナ端子５２に装着できれば、Ｆ型コネクタ３２は、筐体の壁面から突出させてもよく、筐体の壁面の凹部に設けてもよい。
【００６３】
また、上記実施形態では、Ｆ型コネクタ３４は、装置本体２０から筐体外部に引き出された同軸ケーブル３６の先端に設けられるものとして説明したが、Ｆ型コネクタ３２及び３４を、テレビ受信機５０のアンテナ端子５２及び５４に同時に接続可能に配置できるのであれば、Ｆ型コネクタ３２及び３４を、装置本体２０の筐体に固定するようにしてもよい。
【００６４】
また、上記実施形態の光受信ユニット２には、光信号から復元したテレビ放送信号を、ＢＳ放送及びＣＳ放送のテレビ放送信号と、地上波テレビ放送等のＵＨＦ帯のテレビ放送信号とに分波し、その分波したテレビ放送信号を、Ｆ型コネクタ３２及び３４を介して、一つのテレビ受信機５０に出力するものとして説明したが、分波回路２４に代えて、分配回路を設けることにより、光信号から復元したテレビ放送信号を複数に分配し、その分配した複数のテレビ放送信号をそれぞれＦ型コネクタを介して出力するようにしてもよい。
【００６５】
また、増幅回路２６やＯ／Ｅ変換回路２２に電源供給を行う場合、変形例１、２に記載のように、テレビ受信機５０等からＦ型コネクタ３２に入力される直流電圧を必ずしも利用する必要はなく、例えばＵＳＢ（Universal Serial Bus）端子等、外部装置から電源供給可能な電源端子を設けることで、ＵＳＢ機器等の外部装置から電源供給を行うようにしてもよい。
【符号の説明】
【００６６】
２…光受信ユニット、４…壁面ユニット、６…光信号出力端子、１０…光信号入力端子、１２…光ケーブル、２０…装置本体（筐体）、２２…Ｏ／Ｅ変換回路、２２ａ…光電変換素子、２２ｂ…抵抗、２４…分波回路、２６…増幅回路、２８…電源分離フィルタ、２９…混合器、３２，３４…Ｆ型コネクタ、３６…同軸ケーブル、３８…アンテナ接続端子、５０…テレビ受信機、５２，５４…アンテナ端子。
【図１】
2015164128.tif 000003
【図２】
2015164128.tif 000004
【図３】
2015164128.tif 000005
【図４】
2015164128.tif 000006